(57)【特許請求の範囲】
【請求項１】
所定の光学特性を、データサイズ又は分解能が異なる複数の表現形式でそれぞれ表現した複数の光学特性データを有する交換レンズが着脱可能なカメラボディであって、
前記複数の表現形式の各々を表すレンズ側識別情報を前記交換レンズから受信する識別情報受信手段と、
前記複数の表現形式のうち前記カメラボディが認識可能な表現形式を表すボディ側識別情報が記憶される識別情報記憶手段と、
前記複数の表現形式のうち、前記レンズ側識別情報および前記ボディ側識別情報に共に含まれるいずれか１つの表現形式を選択する選択手段と、
前記選択された表現形式に対応する前記光学特性データを前記交換レンズに要求する要求手段と、
前記要求した光学特性データを前記交換レンズから受信する光学特性受信手段と、
を備えることを特徴とするカメラボディ。
【請求項２】
所定の光学特性を、時間的に異なった世代で設定された互いに異なる複数の表現形式でそれぞれ表現した複数の光学特性データを有する交換レンズが着脱可能なカメラボディであって、
前記複数の表現形式の各々を表すレンズ側識別情報を前記交換レンズから受信する識別情報受信手段と、
前記複数の表現形式のうち前記カメラボディが認識可能な表現形式を表すボディ側識別情報が記憶される識別情報記憶手段と、
前記複数の表現形式のうち、前記レンズ側識別情報および前記ボディ側識別情報に共に含まれるいずれか１つの表現形式を選択する選択手段と、
前記選択された表現形式に対応する前記光学特性データを前記交換レンズに要求する要求手段と、
前記要求した光学特性データを前記交換レンズから受信する光学特性受信手段と、
を備えることを特徴とするカメラボディ。
【請求項３】
請求項１または２に記載のカメラボディにおいて、
前記光学特性受信手段により受信された光学特性データに基づいて所定の画像処理を行う画像処理手段を更に備えることを特徴とするカメラボディ。
【請求項４】
請求項１〜３のいずれか一項に記載のカメラボディにおいて、
前記複数の表現形式は、それぞれ所定の順序付けがなされており、
前記選択手段は、前記レンズ側識別情報および前記ボディ側識別情報に共に含まれる表現形式が複数ある場合には、前記所定の順序付けに基づいて前記１つの表現形式を選択することを特徴とするカメラボディ。
【請求項５】
請求項４に記載のカメラボディにおいて、
前記所定の順序付けは、前記複数の表現形式の世代に基づいてなされていることを特徴とするカメラボディ。
【請求項６】
請求項１〜５のいずれか一項に記載のカメラボディにおいて、
前記識別情報受信手段は、前記レンズ側識別情報を前記交換レンズの取り付けおよび前記カメラボディの電源オンのいずれか少なくとも一方に応じて受信し、
前記光学特性受信手段は、前記要求した光学特性データを繰り返し受信することを特徴とするカメラボディ。
【請求項７】
データサイズ又は分解能が異なる複数の表現形式でそれぞれ表現した複数の光学特性データを有する交換レンズが着脱可能なカメラボディであって、
前記複数の表現形式の各々を表すレンズ側識別情報を前記交換レンズから受信する識別情報受信手段と、
前記識別情報受信手段が受信したレンズ側識別情報のうち前記カメラボディが認識可能な１つの表現形式を選択する選択手段と、
前記選択された表現形式に対応する前記光学特性データを前記交換レンズに要求する要求手段と、
前記要求した光学特性データを前記交換レンズから受信する光学特性受信手段と、
を備えることを特徴とするカメラボディ。
【請求項８】
時間的に異なった世代で設定された互いに異なる複数の表現形式でそれぞれ表現した複数の光学特性データを有する交換レンズが着脱可能なカメラボディであって、
前記複数の表現形式の各々を表すレンズ側識別情報を前記交換レンズから受信する識別情報受信手段と、
前記識別情報受信手段が受信したレンズ側識別情報のうち前記カメラボディが認識可能な１つの表現形式を選択する選択手段と、
前記選択された表現形式に対応する前記光学特性データを前記交換レンズに要求する要求手段と、
前記要求した光学特性データを前記交換レンズから受信する光学特性受信手段と、
を備えることを特徴とするカメラボディ。
【請求項９】
請求項１〜８のいずれか一項に記載のカメラボディに着脱可能な交換レンズであって、
前記レンズ側識別情報を前記カメラボディに送信する識別情報送信手段と、
前記複数の光学特性データが記憶される光学特性記憶手段と、
前記複数の光学特性データのうち前記カメラボディから要求された光学特性データをカメラボディに送信する光学特性送信手段と、
を備えることを特徴とする交換レンズ。
【発明の詳細な説明】
【技術分野】
【０００１】
本発明は、カメラボディおよび交換レンズに関する。
【背景技術】
【０００２】
レンズ交換式のカメラシステムにおいて、交換レンズ内に撮影光学系の光学特性情報を記憶させておき、カメラボディ側でこの光学特性情報を用いた光学補正を行うものが知られている。例えば特許文献１には、倍率色収差補正情報および周辺光量落ち補正情報が記憶されたレンズ装置が記載されている。このレンズ装置は、撮像装置への接続時又は撮像装置の電源投入時に上記の各補正情報を撮像装置に送信する。撮像装置は受信した補正情報を用いてレンズに起因する収差の補正を行う。
【先行技術文献】
【特許文献】
【０００３】
【特許文献１】特開２００８−９６９０７号公報
【発明の概要】
【発明が解決しようとする課題】
【０００４】
技術の進歩により光学特性情報のサイズを大きくできるようになったり、より優れたデータ表現形式が登場した場合であっても、新旧の交換レンズ及びカメラボディ間の互換性のため、光学特性情報の表現形式を変更することは困難であった。
【課題を解決するための手段】
【０００５】
請求項１に係る発明は、所定の光学特性を、データサイズ又は分解能が異なる複数の表現形式でそれぞれ表現した複数の光学特性データを有する交換レンズが着脱可能なカメラボディであって、前記複数の表現形式の各々を表すレンズ側識別情報を前記交換レンズから受信する識別情報受信手段と、前記複数の表現形式のうち前記カメラボディが認識可能な表現形式を表すボディ側識別情報が記憶される識別情報記憶手段と、前記複数の表現形式のうち、前記レンズ側識別情報および前記ボディ側識別情報に共に含まれるいずれか１つの表現形式を選択する選択手段と、前記選択された表現形式に対応する前記光学特性データを前記交換レンズに要求する要求手段と、前記要求した光学特性データを前記交換レンズから受信する光学特性受信手段と、を備えることを特徴とするカメラボディである。
請求項２に係る発明は、所定の光学特性を、時間的に異なった世代で設定された互いに異なる複数の表現形式でそれぞれ表現した複数の光学特性データを有する交換レンズが着脱可能なカメラボディであって、前記複数の表現形式の各々を表すレンズ側識別情報を前記交換レンズから受信する識別情報受信手段と、前記複数の表現形式のうち前記カメラボディが認識可能な表現形式を表すボディ側識別情報が記憶される識別情報記憶手段と、前記複数の表現形式のうち、前記レンズ側識別情報および前記ボディ側識別情報に共に含まれるいずれか１つの表現形式を選択する選択手段と、前記選択された表現形式に対応する前記光学特性データを前記交換レンズに要求する要求手段と、前記要求した光学特性データを前記交換レンズから受信する光学特性受信手段と、を備えることを特徴とするカメラボディである。
請求項７に係る発明は、データサイズ又は分解能が異なる複数の表現形式でそれぞれ表現した複数の光学特性データを有する交換レンズが着脱可能なカメラボディであって、前記複数の表現形式の各々を表すレンズ側識別情報を前記交換レンズから受信する識別情報受信手段と、前記識別情報受信手段が受信したレンズ側識別情報のうち前記カメラボディが認識可能な１つの表現形式を選択する選択手段と、前記選択された表現形式に対応する前記光学特性データを前記交換レンズに要求する要求手段と、前記要求した光学特性データを前記交換レンズから受信する光学特性受信手段と、を備えることを特徴とするカメラボディである。
請求項８に係る発明は、時間的に異なった世代で設定された互いに異なる複数の表現形式でそれぞれ表現した複数の光学特性データを有する交換レンズが着脱可能なカメラボディであって、前記複数の表現形式の各々を表すレンズ側識別情報を前記交換レンズから受信する識別情報受信手段と、前記識別情報受信手段が受信したレンズ側識別情報のうち前記カメラボディが認識可能な１つの表現形式を選択する選択手段と、前記選択された表現形式に対応する前記光学特性データを前記交換レンズに要求する要求手段と、前記要求した光学特性データを前記交換レンズから受信する光学特性受信手段と、を備えることを特徴とするカメラボディである。
請求項９に係る発明は、請求項１〜８のいずれか一項に記載のカメラボディに着脱可能な交換レンズであって、前記レンズ側識別情報を前記カメラボディに送信する識別情報送信手段と、前記複数の光学特性データが記憶される光学特性記憶手段と、前記複数の光学特性データのうち前記カメラボディから要求された光学特性データをカメラボディに送信する光学特性送信手段と、を備えることを特徴とする交換レンズである。
【発明の効果】
【０００６】
本発明によれば、互換性を維持したままで、光学特性情報の表現形式を容易に変更することが可能となる。
【図面の簡単な説明】
【０００７】
【図１】本発明を適用した一眼レフレックスタイプのカメラ１を示した斜視図である。
【図２】本発明を適用した一眼レフレックスタイプのカメラ１を示した断面図である。
【図３】撮影光学系２１０の分光透過率特性を示す図である。
【図４】表現形式の組み合わせの一例を示す図である。
【図５】分光透過率特性の第１世代および第２世代の表現形式を示す図である。
【図６】分光透過率特性の第３世代および第４世代の表現形式を示す図である。
【図７】ボディ側制御回路１０３が実行する処理のフローチャートである。
【発明を実施するための形態】
【０００８】
（第１の実施の形態）
図１は、本発明を適用した一眼レフレックスタイプのカメラ１を示した斜視図である。なお、図１では本発明に係わる機器および装置のみを示し、それ以外の機器および装置については図示と説明を省略する。カメラ１は、カメラボディ１００と、カメラボディ１００へ着脱可能な交換レンズ２００とから構成される。
【０００９】
カメラボディ１００には交換レンズ２００を装着するためのレンズマウント１０１が設けられている。また交換レンズ２００には、ボディ側のレンズマウント１０１に対応するレンズマウント２０１が設けられている。交換レンズ２００が装着されると、レンズマウント１０１上に設けられた接続部１０２が、交換レンズ２００のレンズマウント２０１上に設けられた接続部２０２に接続される。接続部１０２，２０２は、カメラボディ１００から交換レンズ２００への電力供給や、カメラボディ１００と交換レンズ２００との各種信号の送受信などに利用される。
【００１０】
カメラボディ１００内のレンズマウント１０１後方には撮像素子１０４が設けられる。レンズマウント１０１と撮像素子１０４との間には、カメラボディ１００のファインダーへ被写体光を導くためのクイックリターンミラー１０８が設けられている。カメラボディ１００の側面には記録媒体装着部１０５が存在し、この記録媒体装着部１０５には記録媒体１０６が挿入され取り付けられている。カメラボディ１００の上方には、入力装置たるボタン１７ａ，１７ｂが設けられている。
【００１１】
図２は、本発明を適用した一眼レフレックスタイプのカメラ１を示した断面図である。交換レンズ２００は、レンズ２１０ａ〜２１０ｅにより構成される撮影光学系２１０を備える。レンズ２１０ａ〜２１０ｅは、例えば被写体像のピント位置を制御するためのレンズ（フォーカスレンズ）や、撮影光学系２１０の焦点距離を調節するためのレンズを含む。撮影光学系２１０には、撮影光学系２１０に入射する光量を制御するための絞り２１１が設けられている。
【００１２】
交換レンズ２００内部には、交換レンズ２００の各部の制御を司るレンズ側制御回路２０３が設けられている。レンズ側制御回路２０３は不図示のマイクロコンピュータ、ＲＡＭおよびその周辺回路等から構成される。レンズ側制御回路２０３は、レンズＲＯＭ２１２および接続部２０２に接続されており、これらの各部と電気信号の授受を行うことができる。
【００１３】
レンズ側制御回路２０３は、識別データ送信部２３１、光学特性要求受信部２３２、および光学特性送信部２３３を備える。これらの各機能部は、レンズ側制御回路２０３が所定の制御プログラムを実行することにより、ソフトウェア的に実現される。識別データ送信部２３１は、接続部２０２，１０２を介して、カメラボディ１００に後述する識別データを送信する。光学特性要求受信部２３２は、接続部２０２，１０２を介して、カメラボディ１００から後述する光学特性要求信号を受信する。光学特性送信部２３３は、接続部２０２，１０２を介して、カメラボディ１００に後述する光学特性データを送信する。
【００１４】
カメラボディ１００内には、図１で説明した通りクイックリターンミラー１０８が設けられている。クイックリターンミラー１０８の裏側にはサブミラー１１３が垂直に設置されている。撮影時、図２に破線で示すように、クイックリターンミラー１０８およびサブミラー１１３は撮影光路中から退避する。このとき、撮影光学系２１０を透過した被写体光は、カメラボディ１００内に設けられたシャッター１１５およびフィルター１１６を介して、撮像素子１０４に入射する。フィルター１１６は、光学的ローパスフィルターと赤外線カットフィルターを組み合わせた光学フィルターである。シャッター１１５は撮像素子１０４の露光状態を制御する。
【００１５】
非撮影時には、被写体光の一部がクイックリターンミラー１０８、ペンタダハプリズム１１１、接眼レンズ１１２を介して撮影者の目へ導かれる。これにより、撮影者は被写体像を視認することができる。また、被写体光の残りの一部はクイックリターンミラー１０８を透過してサブミラー１１３に入射する。サブミラー１１３は被写体光を反射させ、焦点検出装置１１７へと導く。焦点検出装置１１７は撮影光学系２１０の焦点調節状態、すなわちデフォーカス量を周知の方法により検出する。
【００１６】
カメラボディ１００内部には、カメラボディ１００の各部の制御を司るボディ側制御回路１０３が設けられている。ボディ側制御回路１０３は不図示のマイクロコンピュータ、ＲＡＭおよびその周辺回路等から構成される。ボディ側制御回路１０３は、ボディＲＯＭ１１８および接続部１０２に接続されており、これらの各部と電気信号の授受を行うことができる。
【００１７】
ボディ側制御回路１０３は、識別データ受信部１３１、表現形式選択部１３２、光学特性要求送信部１３３、光学特性受信部１３４、および画像補正部１３５を備える。これらの各機能部は、ボディ側制御回路１０３が所定の制御プログラムを実行することにより、ソフトウェア的に実現される。識別データ受診部１３１は、接続部１０２，２０２を介して、交換レンズ２００から後述する識別データを受信する。表現形式選択部１３２は、複数の表現形式（後に詳述する）からいずれか１つの表現形式を選択する。光学特性要求送信部１３３は、接続部１０２，２０２を介して、交換レンズ２００に後述する光学特性要求信号を送信する。光学特性受信部１３４、接続部１０２，２０２を介して、交換レンズ２００から後述する光学特性データを受信する。画像補正部１３５は、光学特性受信部１３４により受信された光学特性データに基づいて、撮像素子１０４により撮像された画像に対して周知の画像補正処理を実行する。
【００１８】
（分光透過率特性の説明）
本実施形態の交換レンズ２００は、撮影光学系２１０の光学特性の１つである分光透過率特性をデータ化して、レンズＲＯＭ２１２に記憶している。すなわち本実施形態では、レンズＲＯＭ２１２に記憶されている光学特性データとは、分光透過率データである。以下、分光透過率について説明する。
【００１９】
図３は、撮影光学系２１０の分光透過率特性を示す図である。図３に示すグラフは、横軸が撮影光学系２１０に入射する光束の波長を、縦軸が当該波長の光束の、光軸付近における透過率をそれぞれ示している。カメラボディ１００内の画像補正部１３５は、図３の分光透過率特性を用いて、ホワイトバランスの補正を行う。
【００２０】
（分光透過率特性の表現形式の説明）
図３に示す分光透過率特性は、様々な表現形式（符号化方式）にデータ化（符号化）することができる。ただし、交換レンズ２００にとって最適な表現形式は、時間の流れと共に、技術の進歩等により変化しうる。
【００２１】
例えば、レンズＲＯＭ２１２の記憶容量を高集積化等により大きくすることが可能となれば、より分解能の高い表現形式を採用することが可能となる。また、レンズ側制御回路２０３とボディ側制御回路１０３との通信速度が高速になれば、よりデータサイズの大きな表現形式を扱うことが可能になる。他にも、ボディ側制御回路１０３の処理速度が向上すれば、より複雑な表現形式を採用することも可能となる。
【００２２】
本実施形態の交換レンズ２００およびカメラボディ１００は、複数の表現形式を扱うことが可能に構成される。具体的には、交換レンズ２００およびカメラボディ１００が扱える複数の表現形式は、それぞれ登場した時期が異なり、後に登場した表現形式ほど優れている。以下、複数の表現形式を、第１世代〜第４世代の４種類の表現形式であるとして説明を行う。
【００２３】
図４は、表現形式の組み合わせの一例を示す図である。図４に示す交換レンズ２００Ａは、第１世代の表現形式と第２世代の表現形式とに対応している。具体的には、レンズＲＯＭ２１２に第１世代の表現形式により表現された分光透過率特性のデータ（以下、第１世代の分光透過率データと呼ぶ）と、第２世代の表現形式により表現された分光透過率特性のデータ（以下、第２世代の分光透過率データと呼ぶ）と、が記憶されている。
【００２４】
同様に、交換レンズ２００Ｂは第２世代〜第４世代の表現形式に対応している。つまり、レンズＲＯＭ２１２に第２世代の分光透過率データと、第３世代の表現形式により表現された分光透過率特性のデータ（以下、第３世代の分光透過率データと呼ぶ）と、第４世代の表現形式により表現された分光透過率特性のデータ（以下、第４世代の分光透過率データと呼ぶ）と、が記憶されている。
【００２５】
レンズＲＯＭ２１２には、各世代の分光透過率データに加えて、これら各世代の表現形式を表すレンズ側識別データが記憶されている。すなわち、交換レンズ２００ＡのレンズＲＯＭ２１２には、第１世代の表現形式と第２世代の表現形式とを表すレンズ側識別データが記憶されている。また、交換レンズ２００ＢのレンズＲＯＭ２１２には、第２世代の表現形式と第３世代の表現形式と第４世代の表現形式とを表すレンズ側識別データが記憶されている。
【００２６】
図４に示すカメラボディ１００Ａは、第２世代の表現形式にのみ対応している。具体的には、ボディＲＯＭ１１８に、第２世代の表現形式を表すボディ側識別データが記憶されていると共に、画像補正部１３５は第２世代の分光透過率データを用いた画像補正処理を行うことが可能に構成されている。
【００２７】
同様に、カメラボディ１００Ｂは第１世代の表現形式と第４世代の表現形式とに対応している。つまり、ボディＲＯＭ１１８に、第１世代の表現形式と第４世代の表現形式とを表すボディ側識別データが記憶されていると共に、画像補正部１３５は第１世代の分光透過率データを用いた画像補正処理と第４世代の分光透過率データを用いた画像補正処理とを行うことが可能に構成されている。
【００２８】
カメラボディ１００Ａに交換レンズ２００Ａを取り付けると、カメラボディ１００Ａは自身と交換レンズ２００Ａが共に対応している表現形式のうちで、最新の表現形式を選択する。つまり、第２世代の表現形式を選択する。そして、交換レンズ２００Ａから第２世代の分光透過率データを受信し、このデータを用いて画像補正処理を行う。
【００２９】
同様に、カメラボディ１００Ｂに交換レンズ２００Ａを取り付けると、カメラボディ１００Ｂは第１世代の表現形式を選択する。また、カメラボディ１００Ｂに交換レンズ２００Ｂを取り付けると、カメラボディ１００Ｂは第４世代の表現形式を選択する。
【００３０】
以上のように、本実施形態の交換レンズ２００は、分光透過率特性を複数の表現形式でそれぞれ表現した複数の分光透過率データを有する。また、レンズＲＯＭ２１２には、複数の表現形式を表すレンズ側識別データが記憶されている。一方、ボディＲＯＭ１１８にはカメラボディ１００が認識可能な表現形式を表すボディ側識別データが記憶されている。複数の表現形式は登場時期による順序付けが行われており、表現形式選択部１３２がこれら２つのデータに共に含まれる表現形式のうち、最新の表現形式を１つ選択する。
【００３１】
（各表現形式の詳細の説明）
図５は、分光透過率特性の第１世代および第２世代の表現形式を示す図である。図５（ａ）に示すように、第１世代および第２世代の表現形式では分光透過率特性を３８０ｎｍ〜７８０ｎｍの波長の範囲について１０ｎｍ区切りでデータ化している。また、１つ１つのデータは１バイトの符号なし整数である。つまり、１つ１つのデータはそれぞれ０〜２５５までの整数である。この整数は、０が０％の透過率に、２５５が１００％の透過率にそれぞれ対応する。
【００３２】
図５（ｂ）に、第１世代の表現形式により表現された分光透過率データ４０を示す。分光透過率データ４０は、先頭の１バイトが３８０ｎｍの波長における透過率、次の１バイトが３９０ｎｍの波長における透過率、…にそれぞれ対応している。例えば先頭の１バイトは「１７８」という値であり、この値は図５（ａ）に示す「７０．００％」という値に対応している。
【００３３】
第２世代の表現形式では、第１世代の表現形式から、１つ１つのデータの大きさが２バイトに増加している。つまり、１つ１つのデータは２バイトの符号なし整数であり、それぞれ０〜６５５３５までの整数である。この場合、０が０％の透過率に、６５５３５が１００％の透過率にそれぞれ対応する。
【００３４】
図５（ｃ）に、第２世代の表現形式により表現された分光透過率データ５０を示す。分光透過率データ５０は、全体のデータサイズが４１バイトから８２バイトに増加しており、１つ１つのデータの分解能が２５６倍に向上している。例えば先頭の２バイトは「４５８７２」という値であり、この値は図５（ａ）に示す「７０．００％」という値に対応している。
【００３５】
図６は、分光透過率特性の第３世代および第４世代の表現形式を示す図である。図６（ａ）に示すように、第３世代および第４世代の表現形式では分光透過率特性を５ｎｍ区切りでデータ化している。つまり、図６（ａ）に示す第１世代および第２世代の表現形式で用いた分光透過率特性に比べて、波長の分割数が多くなっている。なお、第３世代の表現形式では、個々のデータのサイズは第２世代と同様である。すなわち、１つ１つのデータは２バイトの符号なし整数である。
【００３６】
図６（ｂ）に、第３世代の表現形式により表現された分光透過率データ６０を示す。分光透過率データ６０は、データの個数が増加したことにより、全体のデータサイズが８２バイトから１６２バイトに増加しており、波長方向の分解能が２倍に向上している。
【００３７】
ここで、第３世代の表現形式が登場した後に製造された交換レンズは、３８０ｎｍ〜７８０ｎｍの波長域において、分光透過率が５０％を下回ることが全くなかったとする。このとき、分光透過率データは５０％を下回る透過率を表現できるように構成する必要がない。そこで、新たな表現形式である第４世代の表現形式では、分光透過率データにより表される透過率の範囲を狭めることにより、透過率の分解能を向上させている。
【００３８】
図６（ｃ）に、第４世代の表現形式により表現された分光透過率データ７０を示す。これまで、０〜６５５３５の符号なし整数が、０％〜１００％の透過率に対応するものとしてきた。第４世代の表現形式では、０〜６５５３５の符号なし整数が、５０％〜１００％の東海率に対応するものとしている。
【００３９】
なお図６（ｃ）に示すように、この変更によってデータサイズは変化していない。つまり、全体のデータサイズは図６（ｂ）に示す第３世代の表現形式と同様に、１６２バイトである。しかしながら、表現する必要のある値の範囲が５０％〜１００％とおよそ半分になっているため、透過率の分解能は約２倍に向上することになる。
【００４０】
（カメラボディ１００の動作の説明）
図７は、ボディ側制御回路１０３が実行する処理のフローチャートである。なお図７では、既に交換レンズ２００が取り付けられているものとしている。まずステップＳ１００では、不図示の電源スイッチが操作されることにより、ボディ側制御回路１０３がカメラボディ１００を電源オンする。
【００４１】
ステップＳ１１０では、ボディ側制御回路１０３が交換レンズ２００に識別データを要求する。具体的には、接続部１０２，２０２を介してレンズ側制御回路２０３にレンズ側識別データを要求する信号を送信する。識別データ送信部２３１はこの信号に応じて、カメラボディ１００にレンズ側識別データを送信する。ステップＳ１２０では、識別データ受信部１３１が接続部１０２，２０２を介してレンズ側識別データを受信する。
【００４２】
ステップＳ１３０では、表現形式選択部１３２がステップＳ１２０において受信されたレンズ側識別データと、ボディＲＯＭ１１８に記憶されているボディ側識別データとを比較する。ステップＳ１４０では、表現形式選択部１３２が、ステップＳ１３０における比較の結果、両方の識別データで一致する表現形式、すなわち両方の識別データに共に含まれている表現形式が存在するか否かを判定する。そのような表現形式が存在しない場合にはステップＳ１４０において否定判定がなされ、処理はステップＳ２００に進む。
【００４３】
ステップＳ２００では、画像補正部１３５が分光透過率データに基づく画像補正処理を無効に設定する。すなわち、利用可能な分光透過率データが存在しないため、分光透過率データに基づく画像補正処理は一切行われなくなる。
【００４４】
他方、ステップＳ１４０において肯定判定がなされた場合には、処理はステップＳ３００に進む。ステップＳ３００では、表現形式選択部１３２が、両方の識別データで一致する表現形式のうち、最新の世代の表現形式を選択する。例えば、第３世代と第４世代の表現形式がいずれの識別データにも含まれていた場合には、より新しい表現形式である第４世代の表現形式が選択されることになる。
【００４５】
ステップＳ３１０では、光学特性要求送信部１３３が、ステップＳ３００において選択された表現形式の分光透過率データを交換レンズ２００に要求する。具体的には、接続部１０２，２０２を介してレンズ側制御回路２０３に当該表現形式の分光透過率データを要求する信号を送信する。光学特性送信部２３３は、光学特性要求受信部２３２がこの信号を受信すると、対応する表現形式の分光透過率データをレンズＲＯＭ２１２から読み出してカメラボディ１００に送信する。
【００４６】
ステップＳ３２０では、光学特性受信部１３４が接続部１０２，２０２を介して、ステップＳ３００において選択された表現形式の分光透過率データを受信する。以降、撮影が行われる度に、画像補正部１３５がステップＳ３２０で受信された分光透過率データに基づく周知の画像補正処理を行う。
【００４７】
上述した第１の実施の形態によるカメラによれば、次の作用効果が得られる。
（１）表現形式選択部１３２が、識別データ受信部１３１により交換レンズ２００から受信したレンズ側識別データと、ボディＲＯＭ１１８に記憶されているボディ側識別データと、に共に含まれるいずれか１つの表現形式を選択する。光学特性要求送信部１３３は、選択された表現形式に対応する光学特性データ（分光透過率データ）を交換レンズ２００に要求し、光学特性受信部１３４が当該光学特性データを受信する。このようにしたので、互換性を維持したまま、光学特性データの表現形式を容易に変更することができる。
【００４８】
（２）画像補正部１３５は、光学特性受信部１３４により受信された光学特性データ（分光透過率データ）に基づいて所定の画像補正処理を行う。このようにしたので、撮影画像に対して常に最適な画像補正処理を行うことができる。
【００４９】
（３）表現形式選択部１３２は、レンズ側識別データおよびボディ側識別データに共に含まれる表現形式が複数ある場合には、表現形式の世代に基づく順序付けから、最新の表現形式を選択する。このようにしたので、可能な限り最新の表現形式が選択されることとなり、画像補正部１３５による画像補正処理を適切に行うことが可能になる。
【００５０】
次のような変形も本発明の範囲内であり、変形例の一つ、もしくは複数を上述の実施形態と組み合わせることも可能である。
【００５１】
（変形例１）
上述の実施形態では、撮影光学系２１０の光学特性の１つである分光透過率特性について説明した。本発明が分光透過率特性に限定されるものではないことは当然である。例えば、レンズおよびレンズに施されたコーティングによって変化するレンズの色づきを補正する際に本発明を適用することが可能である。他にも、倍率色収差および軸上色収差に代表される色収差方正や、歪曲収差補正、周辺光量補正、レンズのＭＴＦ（Modulation Transfer Function）の低下による鮮鋭感の補償等に本発明を適用することができる。
【００５２】
（変形例２）
上述の実施形態では、交換レンズ２００が装着されている状態でカメラボディ１００が電源オンした場合の処理の流れについて説明した。識別データの送受信および比較が行われるタイミングは、これに限定されない。例えば交換レンズ２００が装着されたことを検出したことに応じて上記の処理が実行されるようにしてもよい。
【００５３】
（変形例３）
上述の実施形態では、いわゆる初期通信において光学特性データが全て送受信されるように構成されていた。例えば焦点距離や撮影距離に応じて変化する光学特性を扱う場合など、データの量が多い場合には、カメラボディ１００の設定状態に基づいて、必要とされる一部の光学特性データが適宜送信されるようにしてもよい。例えば、画像補正処理が撮影時にのみ実行されるのであれば、撮影時の状態に対応する光学特性データのみが撮影に前後してカメラボディ１００に送信されるように構成することができる。
【００５４】
（変形例４）
上述の実施形態では、光学特性の表現形式が異なる例として、データサイズが変化する例と、データの解釈が変化する例と、を示した。本発明が対象とする互いに異なる複数の表現形式は、このような点以外が異なっているものであってもよい。具体的には、光学特性受信部１３４により受信された光学特性データの扱いを画像補正部１３５が代えなければならないような差異が複数の表現形式間に存在すれば、本発明を適用することが可能である。
【００５５】
本発明の特徴を損なわない限り、本発明は上記実施の形態に限定されるものではなく、本発明の技術的思想の範囲内で考えられるその他の形態についても、本発明の範囲内に含まれる。
【符号の説明】
【００５６】
１…カメラ、１００…カメラボディ、１０３…ボディ側制御回路、１３１…識別データ受信部、１３２…表現形式選択部、１３３…光学特性要求送信部、１３４…光学特性受信部、１３５…画像補正部、２００…交換レンズ、２０３…レンズ側制御回路、２３１…識別データ送信部、２３２…光学特性要求受信部、２３３…光学特性送信部
【図１】
0005605030.tif 000002
【図２】
0005605030.tif 000003
【図３】
0005605030.tif 000004
【図４】
0005605030.tif 000005
【図５】
0005605030.tif 000006
【図６】
0005605030.tif 000007
【図７】
0005605030.tif 000008